(57)【要約】【課題】  特殊再生用データを磁気テープに記録すると、特殊再生用データの記録領域として割り当てられた領域ＴＰＡのデータサイズをオーバーし、ＴＰＡのデータサイズに収まらないことがある。【解決手段】  画像データ変換回路２１は、入力画像データから特殊再生画像で表示する画像部分を選択し、残りの画像部分を符号量が発生しない画像データで埋める。具体的には、白、黒などの単色の画像データで埋める。画像ＴＰデータ作成回路２２はその変換画像データをＩピクチャとして符号化する。符号量判定回路２３は符号化画像データの符号量が規定の符号量に収まっているかどうか判定し、規定の符号量に収まっていないときには、符号量判定回路２３からの判定信号に基づき、画像データ変換回路２１は黒を埋める画素数を前回よりも一定量増やすように画像データの変換を行うように制御される。【選択図】            図１
2005045698.tif 000002
【特許請求の範囲】
【請求項１】
テープ状記録媒体から記録時とは異なるテープ・ヘッド間相対速度で再生されるべき特殊再生用データであり、前記テープ状記録媒体に所定領域ずつ通常再生用データの記録領域とは異なる位置に分散して記録されるべき特殊再生用データを作成する特殊再生用データ作成装置において、
ＭＰＥＧ方式で圧縮符号化された第１の画像データの所定画像部分を、単色の画像データで埋めた第２の画像データに変換する画像データ変換手段と、
前記画像データ変換手段から出力された前記第２の画像データを、フレーム内符号化又はフィールド内符号化して前記特殊再生用データを作成するデータ作成手段と、
前記データ作成手段から出力された前記特殊再生用データの発生符号量が、前記所定領域内に記録可能な規定の符号量以下であるか否かを判定し、前記発生符号量が前記規定の符号量よりも大きいときには、前記画像データ変換手段に対して前記第１の画像データの所定画像部分の範囲を更に拡大してその拡大した範囲を前記単色の画像データで埋めるように制御する符号量判定手段と
を有し、前記符号量判定手段により前記規定の符号量以下と判定された前記特殊再生用データを出力することを特徴とする特殊再生用データ作成装置。
【発明の詳細な説明】
【技術分野】
【０００１】
本発明は特殊再生用データ作成装置に係り、特に画像圧縮方式の国際標準規格であるＭＰＥＧ２（Moving Picture Experts Group 2）データを磁気テープ等の記録媒体に記録再生するディジタルＶＣＲ（ビデオ・カセット・レコーダ）において、記録時とは異なる速度で再生するための特殊再生用データを、通常再生用データとは別に作成する特殊再生用データ作成装置に関する。
【背景技術】
【０００２】
磁気テープ等の記録媒体にディジタル情報信号を記録し再生するディジタルＶＣＲでは、情報信号をＭＰＥＧ２により圧縮符号化したディジタル情報信号を記録し再生する。ここで、ＭＰＥＧ２による符号化は、よく知られているように、動き補償予測、ＤＣＴ（離散コサイン）変換、エントロピー符号化を採用していて、ピクチャと呼ばれるフレーム単位で符号化データを伝送する。
【０００３】
上記のピクチャはＩピクチャ、Ｐピクチャ及びＢピクチャの３種類に分類される。Ｉピクチャは、原画像と同じ順序で符号化されるフレーム内符号化画像であり、Ｉピクチャ単独で１枚のフレームに再構成可能である。Ｐピクチャは、時間的に先（過去）のＩピクチャまたはＰピクチャから予測するフレーム間順方向予測符号化画像である。Ｂピクチャは、時間的に後（未来）及び先（過去）のＩピクチャまたはＰピクチャから予測するフレーム間双方向予測符号化画像である。
【０００４】
上記の３種類のピクチャは、適切に組み合わされてＧＯＰ（Group of Picture）を構成して伝送される。ここで、ＧＯＰはランダムアクセスの単位であり、図４に示すように、１ＧＯＰには一枚のＩピクチャが含まれ、Ｉピクチャから始まり次のＩピクチャの直前のピクチャまでからなる複数のピクチャから構成される。また、１ＧＯＰ内にはＩピクチャ又はＰピクチャの間に、図４の例では２枚のＢピクチャが挿入されている。同図の矢印は、予測の方向を示しており、Ｐピクチャ、Ｂピクチャを再構成するためには、それらの予測の基になるフレーム（ピクチャ）のデータが必要であるので、Ｐピクチャ、Ｂピクチャは単独で再構成することはできない。また、各ピクチャの符号化データ量は固定でないため、記録するテープ上の位置と画像の位置は一定ではない。
【０００５】
ここでは、Ｉピクチャの符号化方式のみ図５の符号化装置の一例のブロック図と共に簡単に説明する。入力された原画像は、図５のＤＣＴ部１で離散コサイン変換（ＤＣＴ：Discrete Cosine Transform）され、量子化器２に送られる。ＤＣＴ変換された係数は量子化器２で量子化スケールの値にしたがって量子化され可変長符号化（ＶＬＣ：Variable Length Coding）器３へ送られる。ＶＬＣ器３は量子化されたＤＣＴ係数のうち、出現確率の高いものは短い符号を、出現確率の低いものは長い符号を割り当てる可変長符号化を行うことで、統計的冗長度を削減した圧縮データを生成して出力する。
【０００６】
次に、上記のような圧縮データ（ＭＰＥＧデータ）をディジタルＶＣＲ（ＤＶＣＲ：Digital Video Cassette Recorder）に記録する際のフォーマット（ＨＤディジタルＶＣＲ協議会規格）について簡単に説明する。
【０００７】
図６はこのＨＤディジタルＶＣＲ協議会規格の記録フォーマットを示す。同図において、走行するカセット式磁気テープに対して回転ヘッドによりディジタル信号の記録再生を行うＶＣＲにより、テープ走行方向に対して長手方向が傾斜した各トラックが磁気テープ上に形成され、その各トラックは、インサート情報とトラック情報からなるＩＴＩエリアと、音声データエリア、映像データエリア、サブコードデータエリアで構成される。音声、映像等のデータはシンクブロック単位で記録される。ただし、ＭＰＥＧデータは映像データエリアのみに記録される。
【０００８】
映像データエリアは図６及び図７のように通常再生用データエリア（ＮＰＡ）と高速再生等の特殊再生用データエリア（ＴＰＡ）に分けられる。ＮＰＡとＴＰＡが分けられている理由を説明する。特殊再生用データエリア（ＴＰＡ）がなかった場合、映像データエリアには全て通常再生用データが記録される。この場合、早送り再生等の要求のため記録時と異なるテープ・ヘッド間相対速度で再生すると、第１、第２の回転ヘッドは図６にＨＡ、ＨＢで示すような複数本の記録トラックをまたぐ走査軌跡を交互に描いて走行することになり、当然ＭＰＥＧデータは部分的にしか獲得できなくなる。
【０００９】
ＭＰＥＧデータは前述の通り、Ｐピクチャ及びＢピクチャの各データは単独では再構成できないので、上記の特殊再生の場合、独立して復号できるＩピクチャのみを用いて特殊再生画像を得ることとなるが、再生されるＩピクチャのデータは画面上では連続していなくて断片的なデータであり、しかも可変長符号化データであるので画面上のデータの位置と磁気テープ上の位置とは対応していないため、長時間再生できないこともあり、特殊再生画像はそのままでは極めて見づらいものとなる。
【００１０】
そこで、特定の倍速で再生した時には必ず回転ヘッドがトレースする位置、つまり、データが読み取れるエリアをＴＰＡとしてトラック内に確保し、そこにＩピクチャを特殊再生用データとして記録するのである。特殊再生用データの作成は、放送されてくるＭＰＥＧトランスポートストリームをＮＰＡにそのまま記録すると同時に行われる。
【００１１】
次に、ＭＰＥＧトランスポートストリームについて図８を用いて簡単に説明する。ＭＰＥＧトランスポートストリーム（ＭＰＥＧ−ＴＳ）では、各放送局から送られてくる多種類の番組（プログラム）または、多種類のカメラで撮った画像を音声、文字等を多重化して伝送することが可能である。このＭＰＥＧ−ＴＳにおける番組（プログラム）の指定方法は以下のとおり２段階のポインタを使用する。
【００１２】
最初に、図８（Ａ）に示すトランスポートパケットのトランスポートのパケット識別信号（ＰＩＤ）がＰＩＤ＝０であるパケット内に含まれる、プログラム・アソシエーション・テーブル（ＰＡＴ）が参照される。このテーブルには、図８（Ｂ）に示すように、各プログラムを示すプログラムナンバーと、各ＰＭＴ（プログラム・マップ・テーブル）を含むトランスポートパケットのＰＩＤを関連付けた表が記載されている。
【００１３】
ＰＭＴとは、図８（Ｃ）に示すように、各プログラムのエレメンタリーストリーム（画像、音声、文字情報等の個々のストリーム）が伝送されているトランスポートパケットのＰＩＤやクロックを含むパケットのＰＩＤ等の情報が記載されたテーブルである。従って、ＰＡＴを参照して所望のプログラムのプログラムナンバーを指定すると、次にそのプログラムナンバーのＰＩＤに含まれるＰＭＴを参照し、所望のプログラムの各エレメンタリーストリームが伝送されているＰＩＤを得て、各プログラムの画像、音声、文字情報等が得られる。
【００１４】
次に、従来の特殊再生用データの作成装置について、図９のブロック図と共に説明する。まず、特定のプログラムを記録する場合について説明する。入力端子１１から入力されたＭＰＥＧ−ＴＳは、プログラム抜き出し回路１２に供給され、ここで記録したい特定のプログラムのデータが抽出される。この特定のプログラムのデータは、上記のトランスポートストリームからの指定のプログラム獲得方法で述べたとおり、画像、音声、文字情報等のストリームが多重化されているデータである。この特定のプログラムのデータは、通常速度で再生するためのデータとしてＮＰＡに記録するため、ＮＰバッファ１３に一旦書き込まれる。
【００１５】
一方、プログラム抜き出し回路１２により抽出された特定のプログラムのデータには、前述のように画像、音声、文字情報等のストリームが多重化されているため、画像ストリーム抜き出し回路１４によって画像ストリームのみを抜き出し、特定プログラムの画像信号のみを含むストリームを出力する。抜き出されたこの画像ストリームは、画像復号化回路１５において画像信号に復号化された後、画像メモリ１６に一旦蓄積される。画像メモリ１６に蓄積後、読み出された画像データは、画像ＴＰデータ作成回路１７で符号化ストリームに生成されて、特殊再生用データ（ＴＰデータ）としてＴＰバッファ１８に書き込まれる。
【００１６】
ＮＰバッファ１３及びＴＰバッファ１８に書き込まれたＮＰ、ＴＰの各ＭＰＥＧ−ＴＳは、それぞれ読み出されてトラックデータ作成回路１９に供給され、ここで磁気テープに書き込むフォーマットに変換される。トラックデータ作成回路１９でフォーマット化された各データは磁気テープの所定の位置に記録される。すなわち、ＮＰバッファ１３から読み出されたデータは、磁気テープ上の前記通常再生用データ領域ＮＰＡに記録され、ＴＰバッファ１８から読み出されたデータは、磁気テープ上の前記特殊再生用データ領域ＴＰＡに記録される。
【００１７】
入力データが画像信号の場合は端子１０から画像メモリ１６に直接画像信号を書き込む。画像ＴＰデータ作成回路１７は所定のタイミングで画像メモリ１６から画像データを取り出す。その後の処理は前述したものと同じである。
【００１８】
特殊再生用データ領域ＴＰＡは前述した通り、領域が限定されており、元の画像データ量に比べ記録時の時間当たりのデータ量を減らす必要がある。このため、一般に画像データのＩピクチャのみを抜き出したうえで、ＴＰＡに書き込み可能なデータ量より少なくなるように符号化しデータ量を削減する。
【００１９】
削減方法としては、Ｉピクチャ内の一部のＩピクチャのみを使用して他のＩピクチャを捨てる方法、Ｉピクチャの画像信号高域成分を削減する方法、画像ストリームを再構成して再びＭＰＥＧで符号化する方法などが考えられる。
【００２０】
ここで、画像の高周波成分の量、画像の動きの速さ等によってＭＰＥＧにおける各ピクチャの符号化データ量は一定でない。一般に、通常再生を高画質に記録する方が好まれるため、通常再生用データ領域ＮＰＡに多くのデータ量を割り当てて記録し、特殊再生用データ領域ＴＰＡはＮＰＡに比べ十分小さなデータ領域とされることが望ましい。
【００２１】
そのため、上記の従来の特殊再生用データ作成装置では、特殊再生用データ領域ＴＰＡに書き込まれる１画像あたりの特殊再生用データ量を、通常再生用データ領域ＮＰＡに書き込まれる１画像あたりのＭＰＥＧデータ量と比較して、極めて小さなデータ量としている。その結果、ＴＰＡのＭＰＥＧストリームの画像（すなわち、特殊再生画像）は、ＮＰＡのＭＰＥＧストリームの画像（すなわち、通常再生画像）と比較して著しく悪くなっている。
【００２２】
そこで、本発明者は伝送されてくるＭＰＥＧ−ＴＳデータを記録媒体に記録する際に作成される特殊再生用データの画質を向上させ得る特殊再生用データ作成装置を先に開示した（例えば、特許文献１参照）。この特許文献１記載の従来の特殊再生用データ作成装置は、ＭＰＥＧ方式で圧縮符号化された符号化画像データ又は復号された画像データに対し、画像サイズが同一又は小に変換され、かつ、画像更新率が増えるようにした画像サイズ変換を行い、その画像サイズ変換後の画像データからフィールド内又はフレーム内符号化された符号化画像データとＮ枚のフレーム間順方向予測符号化画像データからなる特殊再生用データを作成するようにしたものである。
【００２３】
【特許文献１】特開２００３−３７８１８号公報
【発明の開示】
【発明が解決しようとする課題】
【００２４】
ところで、特殊再生用データ領域ＴＰＡはある一定のデータサイズであることが多く、特殊再生用画像データを高画質でＴＰＡに書き込むためには、ＴＰＡのデータサイズを最大限に使用することが望ましい。しかるに、従来の特殊再生用データ作成装置で作成された特殊再生用データを磁気テープに記録すると、上記のＴＰＡのデータサイズをオーバーし、ＴＰＡのデータサイズに収まらないことがある。そのような特殊再生用データが記録された記録媒体の特殊再生を行うと、画面の下部が破綻した再生画像になることがある。
【００２５】
本発明は以上の点に鑑みなされたもので、入力されるＭＰＥＧ２−ＴＳデータをテープ状記録媒体に記録する際に作成される特殊再生用データを、書き込み領域のデータサイズ以内で画像の破綻無く収めるように作成し得る特殊再生用データ作成装置を提供することを目的とする。
【課題を解決するための手段】
【００２６】
上記の目的を達成するため、本発明は、テープ状記録媒体から記録時とは異なるテープ・ヘッド間相対速度で再生されるべき特殊再生用データであり、テープ状記録媒体に所定領域ずつ通常再生用データの記録領域とは異なる位置に分散して記録されるべき特殊再生用データを作成する特殊再生用データ作成装置において、ＭＰＥＧ方式で圧縮符号化された第１の画像データの所定画像部分を、単色の画像データで埋めた第２の画像データに変換する画像データ変換手段と、画像データ変換手段から出力された第２の画像データを、フレーム内符号化又はフィールド内符号化して特殊再生用データを作成するデータ作成手段と、データ作成手段から出力された特殊再生用データの発生符号量が、所定領域内に記録可能な規定の符号量以下であるか否かを判定し、発生符号量が規定の符号量よりも大きいときには、画像データ変換手段に対して第１の画像データの所定画像部分の範囲を更に拡大してその拡大した範囲を単色の画像データで埋めるように制御する符号量判定手段とを有し、符号量判定手段により規定の符号量以下と判定された特殊再生用データを出力する構成としたものである。
【発明の効果】
【００２７】
本発明によれば、特殊再生用データであるフレーム内符号化画像又はフィールド内符号化画像の発生符号量を規定の符号量以下に収まるようにしたため、テープ状記録媒体に通常再生用データの記録領域とは異なる位置に分散して所定の領域に記録される特殊再生用データを、上記の所定の領域のデータサイズ以内で画像の破綻無く収めることができる。
【発明を実施するための最良の形態】
【００２８】
次に、本発明の実施の形態について図面と共に説明する。図１は本発明になる特殊再生用データ作成装置の第１の実施の形態のブロック図を示す。同図中、図９と同一構成部分には同一符号を付してある。本実施の形態は、図９に示した従来装置に、画像データ変換回路２１、符号量判定回路２３を付加すると共に、画像ＴＰデータ作成回路２２を従来装置の画像ＴＰデータ作成回路１７と異なる構成とした点に特徴がある。
【００２９】
図１において、入力端子１１を介して入力されたＭＰＥＧ−ＴＳはプログラム抜き出し回路１２により、記録したい特定のプログラムのデータが抜き出される。この記録したい特定のプログラムのデータは、画像、音声、文字情報等のストリームが多重化されており、通常速度で再生するための通常再生用データとして前記ＮＰＡに記録するためＮＰバッファ１３に一旦書き込まれる。
【００３０】
一方、特殊再生用データ（ＴＰデータ）は、上記の通常再生用データと同時に、以下のようにして作成される。プログラム抜き出し回路１２から出力される記録したい特定プログラムのデータ（トランスポートストリーム）には、前述のように画像、音声、文字情報等のストリームが多重化されているため、画像ストリーム抜き出し回路１４によってそのデータ中から画像ストリームのみが抜き出され、特定プログラムの画像信号のみを含むストリームが出力される。
【００３１】
画像ストリーム抜き出し回路１４により抜き出された特定プログラムの画像ストリームは、画像復号化回路１５において画像データに復号化された後、画像メモリ１６に一旦蓄積されてから画像データ変換回路２１に供給される。
【００３２】
画像データ変換回路２１は、入力画像データから特殊再生画像で表示する画像部分を選択し、残りの画像部分を符号量が発生しない画像データで埋める。具体的には、画像の高周波数成分が少ないほど、発生符号量が少ないことが知られているので、白、黒などの単色の画像データで埋める。
【００３３】
例えば、画像メモリ１６には水平方向７２０画素、垂直方向４８０画素の図２（Ａ）に示す画像２５に関する画像データが蓄積されているものとすると、画像データ変換回路２１は、図２（Ｂ）に示すように、画像２５の上下に各々８画素の黒画像２６ａ、２６ｂを埋めて水平方向７２０画素、垂直方向４８０（＝８（黒）＋４６４＋８（黒））画素の画像データに変換する。このとき、同じ値の画像データの単位を水平方向及び垂直方向共に８画素とすると、ＭＰＥＧ等で用いられるＤＣＴは水平方向及び垂直方向共に８画素の単位で行われるため、発生符号量が最小となる。
【００３４】
画像データ変換回路２１により上記の如くに変換された画像データは、画像ＴＰデータ作成回路２２により例えば、ＩピクチャとしてＭＰＥＧ  Ｖｉｄｅｏデータのフォーマットに符号化された後、符号量判定回路２３に供給されて規定の符号量に収まっているかどうか判定され、規定の符号量に収まっている場合はＴＰバッファ１８に供給されて一時蓄積される。
【００３５】
他方、規定の符号量に収まっていないときには、符号量判定回路２３からの判定信号に基づき、画像データ変換回路２１は黒を埋める画素数を前回よりも一定量増やすように画像データの変換を行うように制御される。この制御により画像データ変換回路２１から出力された変換後の画像データは、再び画像ＴＰデータ作成回路２２で符号化された後、符号量判定回路２３に供給されて規定の符号量に収まっているかどうか再び判定される。
【００３６】
以下、上記の動作を符号量判定回路２３で規定の符号量以下に収まるまで繰り返す。こうして、規定の符号量以下の画像ＴＰデータが符号量判定回路２３から特殊再生用データ（ＴＰデータ）として取り出されてＴＰバッファ１８に書き込まれる。ＮＰバッファ１３及びＴＰバッファ１８に書き込まれたＮＰ、ＴＰの各ＭＰＥＧ−ＴＳは、それぞれ読み出されてトラックデータ作成回路１９に供給され、ここでテープ状記録媒体に書き込むフォーマットに変換される。
【００３７】
トラックデータ作成回路１９でフォーマット化されたデータは記録媒体の所定の位置に記録される。すなわち、ＮＰバッファ１３から読み出されたデータは、磁気テープ上の前記通常再生用データ領域ＮＰＡに記録され、ＴＰバッファ１８から読み出されたデータは、テープ状記録媒体上の前記特殊再生用データ領域ＴＰＡに記録される。
【００３８】
このように、本実施の形態によれば、入力されるＭＰＥＧ２−ＴＳデータをテープ状記録媒体に記録する際に作成される特殊再生用データを、書き込み領域ＴＰＡのデータサイズ以内で画像の破綻無く収めることができる。
【００３９】
次に、本発明の第２の実施の形態について説明する。図３は本発明になる特殊再生用データ作成装置の第２の実施の形態のブロック図を示す。同図中、図１と同一構成部分には同一符号を付し、その説明を省略する。本実施の形態は、図１に示した第１の実施の形態の装置の、画像データ復号化回路１５及び画像メモリ１６の替わりに、ＤＣＴ係数削減回路２８を設けると共に、画像データ変換回路２９の動作を画像データ変換回路２１と異ならせた点に特徴がある。
【００４０】
図３において、画像ストリーム抜き出し回路１４から出力された特定プログラムの画像信号のみを含むストリームは、ＤＣＴ係数削減回路２８に供給され、ここで画像のＤＣＴ係数がすべてのブロック又は一部のブロックについて調べられ、高次成分が０にされる。ここで、ＤＣＴ係数は８×８画素（輝度信号の場合）の、０番目画素から６３番目画素まで（０：ＤＣ係数、１〜６３：ＡＣ係数）のブロック単位であり、ＡＣ係数が符号化されて伝送されるが、上記のように高次成分（ＤＣ成分以外）のＤＣＴ係数を０とすると、ＤＣＴ係数を伝送する必要が無くなり、ＶＬＣ（可変長符号）のコード発生量が小さくなる。
【００４１】
一方、画像の情報の輝度信号Ｙ、色差信号Ｃｂ及びＣｒが、ある範囲にわたって同じ値であれば、視覚的に単色に見える。このとき、画像の周波数成分が小さくなり、高次成分は０になる。画像データ変換回路２９では予め単色（例えば、黒）になるＤＣＴ係数を用意しておき、画像の情報の輝度信号Ｙ、色差信号Ｃｂ及びＣｒの高次成分（ＤＣ成分以外）を、予め定めた所定数のブロックの０にした元のＤＣＴ係数と置き換える。
【００４２】
画像データ変換回路２９により上記の如くに変換された画像データは、画像ＴＰデータ作成回路２２により例えば、ＩピクチャとしてＭＰＥＧ  Ｖｉｄｅｏデータのフォーマットに符号化された後、符号量判定回路２３に供給されて規定の符号量に収まっているかどうか判定される。規定の符号量に収まっていないときには、符号量判定回路２３からの判定信号に基づき、画像データ変換回路２９は単色（例えば、黒）になるＤＣＴ係数の８×８画素のブロックの数を前回よりも一定数増やすように画像データの変換を行うように制御される。この制御により画像データ変換回路２９から出力された変換後の画像データは、再び画像ＴＰデータ作成回路２２で符号化された後、符号量判定回路２３に供給されて規定の符号量に収まっているかどうか再び判定される。
【００４３】
以下、上記の動作を符号量判定回路２３で規定の符号量以下に収まるまで繰り返す。こうして、規定の符号量以下の画像ＴＰデータが符号量判定回路２３から特殊再生用データ（ＴＰデータ）として取り出されてＴＰバッファ１８に書き込まれる。この場合も、ＴＰデータの再生画像は図２（Ｂ）に示すような画像となる。
【００４４】
なお、本発明は上記の実施の形態に限定されるものではなく、例えば、画像ＴＰデータ作成回路２２は１６×１６画素のマクロブロック単位で画面の左上から右下方向へ順番に符号化するが、マクロブロックを順番に符号化していった場合、残りのマクロブロックをすべて発生符号量の少ないブロック（ダミーブロック）で収められる範囲の符号量を超える前の閾値を設け、その閾値を超えたかどうか符号量判定回路で判定し、閾値を超えた場合は閾値を超えたマクロブロックの場所からダミーブロックで置き換えるようにしてもよい。
【００４５】
また、画面上、単色（例えば、黒）と見える画像位置は、画面の上部と下部の２箇所としたが、どちらか１箇所でもよいし、画像の真中でも左右の両方又は一方でもよい。また、特殊再生用データはフレーム内符号化画像であるＩピクチャとして説明したが、フィールド内符号化画像であるＩピクチャとして符号化してもよい。
【００４６】
なお、本発明により、特殊再生用データの作成に際しては、少なくとも入力ビデオ符号化データの縦横の画像サイズ、ピクチャ符号量、画像更新率及び画像アクティビティのいずれか一つを使用して、特殊再生用データの画像サイズと画像更新率を決定する方法を用いることによって、特殊再生画像の適切な画像更新率、解像度が得られる。
【００４７】
例えば、画像品質を安定させるためには、画像サイズをフィルタで小さくしたり（この場合は、ブロック当りの符号量を小さくでき、解像度感は失われるが、ブロックノイズが発生しなくなる）、画像更新率を小さくする（この場合は、転送レートが一定のとき、Ｉピクチャに与えられる符号量を大きくする）などの方法を採用する。
【００４８】
他方、画像更新率を上げ、検索し易いように画像の枚数を増やすためには、画像サイズをフィルタで小さくし、転送レートが一定のときにＩピクチャへ与えられる符号量が小さくてもブロックノイズは発生させないで、更新率を上げる。画像更新率が高ければ、解像度感に対する人間の視覚感度が弱くなる傾向にあるので有効である（人間の目は動きの速いものに追従できない）。
【００４９】
また、符号化構造をインターレース構造かプログレッシブ構造とするかの選択に関しては、ＮＰストリームの符号化構造と一致する方を選択することで、通常再生用データ再生と特殊再生用データの再生との切り替わりに生じるリセットを防ぎ、表示装置の表示切替時間を短縮する効果がある。
【図面の簡単な説明】
【００５０】
【図１】本発明の第１の実施の形態のブロック図である。
【図２】図１中の画像ＴＰデータ作成回路の一実施の形態のブロック図である。
【図３】本発明の第２の実施の形態のブロック図である。
【図４】ＭＰＥＧピクチャの種類等を示す図である。
【図５】Ｉピクチャの符号化回路の一例のブロック図である。
【図６】ディジタルＶＣＲの記録フォーマットである。
【図７】ディジタルＶＣＲの映像データエリアである。
【図８】ＭＰＥＧトランスポートストリームを説明する図である。
【図９】従来装置の一例のブロック図である。
【符号の説明】
【００５１】
１１  ＭＰＥＧトランスポートストリーム入力端子
１２  プログラム抜き出し回路
１３  ＮＰバッファ
１４  画像ストリーム抜き出し回路
１５  画像復号化回路
１６  画像メモリ
１８  ＴＰバッファ
１９  トラックデータ作成回路
２１、２９  画像データ変換回路
２２  画像ＴＰデータ作成回路
２３  符号量判定回路
２８  ＤＣＴ係数削減回路
【図１】
2005045698.tif 000003
【図２】
2005045698.tif 000004
【図３】
2005045698.tif 000005
【図４】
2005045698.tif 000006
【図５】
2005045698.tif 000007
【図６】
2005045698.tif 000008
【図７】
2005045698.tif 000009
【図８】
2005045698.tif 000010
【図９】
2005045698.tif 000011